(57)【要約】【課題】  本発明は簡単な構造でしかも設計形状の自由度を得て、入口から供給される低圧ガスを多数の出口から等圧にて均等給配することのできる分岐管を新規に提供することを解決する課題としたものである。【解決手段】  本発明は入口から供給される低圧ガスを多数の出口より少量等圧にて分配するための分岐管であって、前記各出口の径を入口の径との比率で８：１以下の同径にて形成したことを特徴とする低圧ガスの等圧分配用の多分岐管にある。【選択図】図３
2005325882.tif 000002
【特許請求の範囲】
【請求項１】
入口から供給される低圧ガスを多数の出口より少量等圧にて分配するための分岐管であって、前記各出口の径を入口の径との比率で８：１以下の同径にて形成したことを特徴とする低圧ガスの等圧分配用の多分岐管。
【請求項２】
出口の径を１ｍｍ以上とし、且つ出口の長さを５ｍｍ以上に形成した請求項１記載の分岐管。
【請求項３】
出口にガス給配用の可撓ホースを接続し、該ホースの中間に絞りこみバルブを設けた請求項１または２に記載の多分岐管。
【発明の詳細な説明】
【技術分野】
【０００１】
本発明は、低圧ガスを等圧にて分配するための多分岐管に関するものである。
【背景技術】
【０００２】
従来、流動体を複数に分配する分岐管としては１つの入口に対して単に複数に分岐した出口を備えたものがあるが、このような分岐管は入口と各出口間の距離に遠近があると、近い出口と遠い出口とで流動体の圧力および吐出量が不均等になる。均等にするためにはすべての出口を入口から等距離に設けなければならず、例えば入口を中心に置いた放射状の等距離位置にすべての出口を形成しなければならないなど設計形状に自由度がなくなるという欠点がある。
【０００３】
また流動体を一定圧にて分岐するための分岐管としては、複数の各出口にスプリングによる閉じ付勢の球体蓋を設けたものがある。流動体にスプリング付勢に抗する圧力が加わると球体蓋が後退して出口との間に隙間を生じ、その隙間から流動体が流れ出るようにしている（特開平１１−２３０３８４号参照）。
【０００４】
しかしながら、このような分岐管は圧力による体積変化のほとんど生じない液体用としては有効であるが、圧力による体積変化の大きいガス用の分岐管として用いるときはかなりの高圧でなければ各出口より等圧同量にてガスを分配することができないという問題があり、殊に低圧のガスの分配用としては全く使いものにならないという欠点がある。
【特許文献１】特開平１１−２３０３８４号公報
【発明の開示】
【発明が解決しようとする課題】
【０００５】
本願発明が解決しようとする課題は、低圧ガスの分配用として入口と各分岐出口間の距離の遠近を考慮することなく設計の自由度を得て、低圧ガスをすべての出口より等しく定圧・定量にて分配することのできる分岐管を提供しようとする点にある。
【課題を解決するための手段】
【０００６】
本発明は、低圧ガスの分配用の多分岐管の１つの入口の径と多数の出口の径を８：１以下の比率として各出口を同径にて形成したのである。かくすることにより例えば１Ｌ／ｍｉｎなどの低圧ガスを各出口に分配するにおいて、入口と各出口の距離がそれぞれに遠近していても分配するすべての出口から等圧・等量のガスを給配することができるものとなる。
さらに各出口の径を１ｍｍ直径以上の同径にて形成し、且つ出口の長さを５ｍｍ以上の長さに形成するのである。これによって１Ｌ／ｍｉｎよりさらに低圧のガスも安定して等圧分配することができるものとなる。
また分岐管の各出口に一端を接続し、他端をガス給配先の容器等に接続するガス給配用の可撓ホースの中間に絞りこみバルブを設けるのである。各出口に分配された一定圧の低圧ガスをバルブで均等に絞りこみすることによりさらに低圧にて容器等に供給することができるとともに、容器等の振とう運動などにより可撓ホースに捻れ等が生じた場合でもホース内を緩衝部として利用して、ごく低圧のガスの連続供給を安定して維持することができるものとなる。
【発明の効果】
【０００７】
以上のようにして本発明の低圧ガスの等圧分配用の多分岐管によれば、入口からの距離を遠近する多数の各出口のすべてにおいて低圧ガスを等圧にて分配することができるという効果を生ずる。
【０００８】
入口から多数の各出口間の距離を等距離とする必要がないので、入口の移置に関係なく多数の出口を並設することができるなど自由な設計形状にてなる分岐管を得ることができるという効果を生ずる。
【０００９】
出口に接続する給配用の可撓ホースの中間に絞りこみバルブを設けることにより、さらに低圧のガスを容器等に供給することができるとともに、容器等が振とうなどにて運動している場合でもホースの捻れ等の影響なく安定して低圧ガスを供給をすることができることとなるので、例えばごく少量のＣＯ2混合ガスの供給を要する培養実験などの複数の実験容器において条件精度の高い実験を実施することができるとともに、供給ガスの無駄遣いを解消し、ガスの排出による環境への影響を可及的に軽減することができるという効果を生ずる。
【発明を実施するための最良の形態】
【００１０】
本発明は、入口から供給される低圧ガスを多数の出口より少量等圧にて分配するための分岐管において、前記各出口の径を入口の径との比率で８：１以下の同径にて形成し、また出口の径を１ｍｍ以上、長さを５ｍｍ以上とすることにより、ごく低圧で供給されるガスを各出口より等圧にて給配することができることとなる。また出口にガス給配用の可撓ホースを接続して振とう運動する容器等にガスを給配したいときは、該ホースの中間に絞りこみバルブを設けてガスの通過量を絞ることによってホースの捻れなどによる影響を受けることなくしてさらに低圧なガスの安定した連続供給を行うことができることとなる。
【実施例１】
【００１１】
図１乃至図２は本発明の分岐管の１例を示すもので、直方体等に形成した分岐管本体１の長手端の一側面１ａにガス供給用管路等を接続取付けするための螺溝２を備えた入口３を設け、該入口３より長手方向に続く空間部４と該空間部４に直交して一端を開口し、他端に本体の外面に表出する螺溝５を備えた多数の出口６を並設し、該各出口６の径を入口３の径との比率で８分の１以下の同径にて形成するのである。以上のように構成した分岐管７によれば、入口径（出口径）の大きさにかかわらず、１.５Ｌ／ｍｉｎ程度の低圧ガスをすべての出口６から等圧・等量にて分配供給することができるものとなる。入口径と出口径の比率を８：１より大きくすると複数の出口６から出るガス圧にバラつきが生じ、殊に入口３に近い出口６と遠い出口６との間に大きな圧力差が生ずることとなる。本実施例では、図３に示すように入口３の径を３／８インチ（約９ｍｍ）、出口６の径を１ｍｍに形成し、且つ出口６の長さを５ｍｍ以上に形成することによって１０ＭＬ／ｍｉｎの以下の低圧ガスを各出口６より均等に安定して連続給配することができるものとなった。なお出口６の長さを５ｍｍ以上とするのは入口３の径と出口６の径の比率を約８：１ほどにしたときの場合であって、さらに出口６の径を小さくするときは長さを５ｍｍ未満としても各出口６での圧力にバラつきは生じないものとなった。
【００１２】
なお図面は５つの出口６を１列において設けた例を示しているが、出口６の数を増減したり、２列，３列等にて設けるなど用途に応じて形状自由に設計することができる。
【実施例２】
【００１３】
図４は本発明の多分岐管７より、一定のガス環境下における細胞試料等の振とう培養の実験を行う三角フラスコ等の容器に低圧ガスを等圧（等量）にて分配供給する例であって、振とう台８上に載置する６個の容器９内に例えば５％等の一定割合のＣＯ2ガスを混入した少量の大気を連続供給し、容器９内を所定のガス環境下にして細胞試料を振とう培養するようにしたものである。
【００１４】
容器９内に多分岐管７の出口６に接続した可撓ホース１０を用いて入口３から供給されるＣＯ2ガス混入の大気を供給するのであるが、単に可撓ホース１０のみを接続した場合には、容器９の振とう揺動による可撓ホース１０の捻れなどを原因として各容器９に等圧の混合大気ガスが均等に供給されないことがあり、同じ条件における培養結果を求めることに支障を生じた。そこで前記可撓ホース１０の中間に出口６より供給された混合大気ガスをさらに絞りこむバルブ１１を設け、該バルブ１１により最終的に必要な混合大気ガスの圧力（量）を規制するようにしたのである。かようにして多分岐管７を低圧ガスの一次緩衝部とすればさらに可撓ホース１０内を二次緩衝部として利用することにより、可撓ホース１０の捻れなどにより生ずる一時的な閉塞や圧力変化を緩衝して低圧ガスの圧力を高めておくことができるので、振とうする容器９に向けて低圧の大気混合ガスを安定して連続給配することができることとなった。
【実施例３】
【００１５】
図５乃至図６は前記の培養実験を恒温下において行なう場合の例を示したもので、試験のための容器９は開閉自在の扉１２ａを有する恒温室１２を持つ恒温振とう機１３の振とう台８上に載置するのである。密閉された恒温室１２内に培養実験の過程で生じた老廃物や蒸発した水分が容器９から排出されて充満すると、恒温室１２内は恒温多湿の悪環境となって機器の故障の原因となるので、これらは室外に排出することが必要となる。そこで、多分岐管７にガス供給用の供給路と隔離された排出路１４を設け、ガス供給用の可撓ホース１０に併設した排出用の可撓ホース１５の他端を分岐管７の排出路１４に接続してまとめて外部に排出するようにしたのである。分岐管の形状に設計の自由度があるため、供給路と隔離された排出路１４を分岐管７内に容易に設けることができるのである。なお図中、１６はＣＯ2ガスボンベ、１７はＣＯ2ガス濃度コントローラーである。
【産業上の利用可能性】
【００１６】
本発明は以上のようにして低圧のガスを多数の出口に等圧にて給配することができるので、各種の試験・実験、燃焼ガスの少量等圧分配などの広範な用途において利用することができるものである。
【図面の簡単な説明】
【００１７】
【図１】（実施例１）多分岐管の１例を示す縦断面図
【図２】図１Ａ−Ａ線断面図
【図３】入口と出口の径および出口の長さの形成例の１つを示す説明図
【図４】（実施例２）多分岐管の出口に可撓ホースを介して振とう運動する容器に低圧ガスを給配する例を示す説明的正面図
【図５】（実施例３）（ａ）は恒温振とう培養実験用とするために分岐管本体内に供給路と隔離された排出路を一体に設けた例を示す斜視図、（ｂ）は同、多分岐管の拡大断面図である。
【符号の説明】
【００１８】
１は分岐管本体
２は接続用の螺溝
３は入口
４は空間部
５は接続用の螺溝
６は出口
７は多分岐管
８は振とう台
９は三角フラスコ等の容器
１０は可撓ホース
１１は絞りこみバルブ
１２は恒温室
１２ａは扉
１３は恒温振とう機
１４は排出路
１５は排出用の可撓ホース
１６はＣＯ2ガスボンベ
１７はガス濃度コントローラー
【図１】
2005325882.tif 000003
【図２】
2005325882.tif 000004
【図３】
2005325882.tif 000005
【図４】
2005325882.tif 000006
【図５】
2005325882.tif 000007